(57)【特許請求の範囲】
【請求項１】
建築物に固定される固定部と、該固定部から片持ち梁状に延出する樋支持部とを備えるポリカーボネート樹脂製樋取付具であって、
前記固定部はビス等の止め具が貫通する固定孔を有し、該固定孔は、建築物との対接面側の周囲にのみ面取り部が形成されていることを特徴とするポリカーボネート樹脂製樋取付具。
【発明の詳細な説明】
【０００１】
【発明の属する技術分野】
本発明は、建築物の軒先等にビスや釘等で固定され、軒樋等を取付ける樋取付具に係り、特に、固定部の固定孔の周囲にクラックが発生しにくく、長期間安定して固定できるポリカーボネート樹脂製樋取付具に関する。
【０００２】
【従来の技術】
従来、この種の樋取付具としては、特開平１０−１９６０７２号公報に記載の樋取付具がある。この樋取付具は、破風板に用いられた塩化ビニル被覆鋼板の可塑剤がポリカーボネート樹脂成形体の樋取付具と接触し、可塑剤に侵されてクラックを生じ、それが原因で破風板に対する樋取付具の取付強度が低下することを防止するものであり、取付部の取付面が、可塑剤などの添加物を含有する合成樹脂の添加物の通過を遮断する添加物遮断膜で覆われているものである。
【０００３】
また、特開平１０−１８３９０３号公報に記載の樋取付具は、基端部に略板状の固定板を備え、該固定板の平面に対して略直交方向に延出され樋を保持するための保持部材を有する樋支持部を備え、前記固定板のうち少なくとも接触面がポリカーボネート製である樋取付具において、前記接触面に限界応力値（５０℃、２４時間）を１３０〜２２００ｋｇｆ／ｃｍ2としたスペーサを設けたことを特徴とするものである。そして、スペーサと固定板のそれぞれに互いに嵌合し合う嵌合部を設けている。
【０００４】
【発明が解決しようとする課題】
ところで、前記構造の樋取付具は、破風板等に固定する際に、固定孔にビス等を貫通させ、ビスを締め込んで固定するが、固定孔の周囲に高い応力が発生してクラックが発生する虞があった。また、前者の樋取付具は添加物遮断膜を粘着する必要があり、後者の樋取付具はスペーサを設けるため、部品単数が増えてコストが上昇すると共に、破風板等への固定作業が煩雑となる問題点がある。
【０００５】
本発明は、このような問題に鑑みてなされたものであって、その目的とするところは、ポリカーボネート樹脂製樋取付具を建築物の破風板等に固定する際に、ビスや釘等により固定孔の周囲に高い応力が発生してもクラックが発生しにくい樋取付具を提供することにある。また、部品点数が少なく構成を簡単にでき、固定作業が容易でコストを低減できる樋取付具を提供することにある。
【０００６】
【課題を解決するための手段】
前記目的を達成すべく、本発明に係る樋取付具は、ポリカーボネート樹脂から形成され、建築物に固定される固定部と、該固定部から片持ち梁状に延出する樋支持部とを備え、固定部はビス等の止め具が貫通する固定孔を有し、該固定孔は、建築物との対接面側の周囲にのみ面取り部が形成されていることを特徴とする。面取り部は、傾斜面で形成したコーナー面取り部や円弧面で形成したアール面取り部であり、半径が１〜２ｍｍ程度のアール面取り部が、応力が集中しにくく好ましい。
【０００７】
このように構成された本発明のポリカーボネート樹脂製樋取付具は、固定孔にビス等を挿通して建築物の破風板等に固定するとき、固定孔の破風板と対向する面側の周囲に発生する応力を小さくできるためクラックが発生しにくく、長期間、固定強度が低下することなく安定した状態で固定することができる。このため、台風等で風圧や衝撃を受けても、脱落することを防止できる。また、スペーサ等の他の部品を必要としないため構成を簡単にでき、固定作業も容易に行え、部品点数が少なくコストを低減できる。なお、アール面取り部はコーナーが無いため、コーナー面取り部より応力集中を小さくできる。
【０００８】
【発明の実施の形態】
以下、本発明に係る樋取付具の一実施形態を図面に基づき詳細に説明する。図１は、本実施形態に係る樋取付具による軒樋の取付状態を示す断面図、図２（ａ）は図１の樋取付具の正面図、図２（ｂ）は（ａ）の一部を破断した底面図、図２（ｃ）は（ａ）の右側面図である。
【０００９】
先ず、図１を参照して、樋取付具により建築物の軒先等に取付けられる軒樋１について説明する。軒樋１は塩化ビニル樹脂、ポリカーボネート樹脂等で形成され、底壁２の前端から前壁３が上方に延出し、底壁２の後端から後壁４が上方に延出し、前壁３の上端には前耳５が形成され前壁３の上端を補強しており、後壁４の上端にも補強部を兼ねる後耳６が形成されている。軒樋１は底壁２に対して、前壁３及び後壁４が僅かに拡開して延出し、断面が略コ字状をしており、雨水は底壁２に沿って流れる。前耳５には後耳方向に開口する凹部５ａが形成され、この凹部は入口の幅が狭く、奥が上方に湾曲して幅広に形成されている。なお、軒樋は前記の形状に限られるものでなく、断面が半円形のものや、コ字状のもの等、適宜の形状のものでもよいことは勿論である。
【００１０】
前記の軒樋１を取付ける樋取付具１０はポリカーボネート樹脂から形成され、図２に示すように、基端部に略平板状に形成された固定部を構成する固定板１１と、固定板１１の平面に対して略直交する方向に片持ち梁状に延出し、樋支持部として樋１の前耳５を支持するための前耳支持部１２が先端側に形成され、基端側には後耳６を支持する後耳支持部１３が形成されている。前耳支持部１２は、前耳５の凹部５ａに嵌合する上方突部１２ａと、その下方に樋１の突部が嵌合する凹部１２ｂが形成されている。後耳支持部１３は、後耳の幅広の段部に係合する支持爪部１３ａ、突部１３ｂが形成されている。このように、樋取付具１０は前耳５と後耳６を支持して軒樋１を吊り下げ支持するものである。
【００１１】
樋取付具１０の固定板１１には３つの固定孔１５が穿設されている。この固定孔１５に止め具であるビス２０や釘等を挿通させ、例えばビス２０を建築物の破風板２１にねじ込んで締め付けることにより樋取付具１０を建築物に固定する。固定孔１５は直径が３〜４ｍｍ程度に形成され、孔の奥行は固定板の肉厚と同様で５〜１０ｍｍ程度に設定されている。なお、固定孔は３個所に限らず、２個所でも、さらに多数個所でもよい。
【００１２】
固定孔１５の建築物との対接面側の周囲には、図３（ａ）に詳細に示すように面取り部として、固定孔１５の破風板と対接する面側の周囲の角部に、曲率半径が１ｍｍ程度の丸みをつけたアール面取り部１６が形成されている。すなわち、固定板１１をビス２０で締め付けるときに、ビス２０の頭部と対接する面と反対側の面の角部に最大応力が発生するので、この角部にアール面取り部１６を形成する。また、面取り部として、図３（ｂ）に示すように、固定孔１５の破風板側の面の角部に、傾斜面で形成した１ｍｍ程度のコーナー掛けによりコーナー面取り部１７が形成されている。なお、コーナー面取り部は４５度の傾斜に限らず、任意の角度でもよい。
【００１３】
このように、ビス２０の頭部が対接する面と反対側の面の周囲に、アール面取り部１６、コーナー面取り部１７が形成されているため、ビス２０で固定板１１を締め付けたときに固定板に発生する応力を小さくすることができる。この結果、固定孔１５の破風板２１側の周囲に応力が集中するのを避けることができ、固定孔１５の周囲にクラックが発生しにくくなり、樋取付具１０を長期間安定して、強度が低下することなく固定することができる。
【００１４】
前記の如く構成された本実施形態の樋取付具の動作について以下に説明する。
樋取付具１０の固定板１１に穿設した固定孔１５に、例えばビス２０を挿入して樋取付具１０を軒先の破風板２１に固定する場合、ビス２０を締め込んでいくと破風板２１と対接する面側の角部に最大応力が発生するが、この角部にはアール面取り部１６、コーナー面取り部１７がされているため、応力が緩和されてクラックが発生しにくい。このため、樋取付具１０の建築物への固定が長期間安定し、固定強度が低下することを防止できる。固定強度が低下すると、暴風雨等で軒樋に風圧が作用して樋取付具１０が脱落する等の不具合が生ずるが、本実施形態の樋取付具１０を使用すると、前記のような不具合を防ぐことができる。また、破風板２１に樋取付具１０を固定する際に、破風板と固定板１１との間にスペーサ等の他の部品を挟む必要がないため、固定作業が容易となる。
【００１５】
なお、本発明に係る樋取付具は、軒樋、竪樋、軒樋継手、竪樋継手、軒樋集水器等の雨樋全てを取付けることができる。例えば、竪樋を固定する樋取付具の場合は、固定板から支持軸を延出し、その先端にリング状の竪樋取付部を形成すればよい。また、上記樋支持部は、前耳支持部と後耳支持部からなる構成としたが、取付られる樋の形状に応じて適宜選択できるものである。
【００１６】
【発明の効果】
以上の説明から理解できるように、本発明のポリカーボネート樹脂製樋取付具は、ビス等の止め具で締め付けて建築物に固定したとき、固定板に設けた固定孔の周囲にクラックが発生しにくく、長期間に亘って固定強度が低下することなく、安定して固定することができる。このため、風圧や衝撃を受けても樋取付具が脱落することを防止でき、軒樋等が脱落することはない。また、部品点数が少なく、構成を簡単にでき、固定作業が容易でコストを低減できる。
【図面の簡単な説明】
【図１】 本発明に係る樋取付具の一実施形態による軒樋の取付状態を示す断面図。
【図２】 （ａ）は図１の樋取付具の正面図、（ｂ）は（ａ）の一部を破断した底面図、（ｃ）は（ａ）の右側面図。
【図３】 （ａ）は固定孔の固定状態を示す要部拡大断面図、（ｂ）は固定孔の他の固定状態を示す要部拡大断面図。
【符号の説明】
１０  樋取付具
１１  固定板（固定部）
１２，１３  樋支持部
１５  固定孔
１６  アール面取り部
１７  コーナー面取り部
２０  ビス
２１  破風板
【図１】
0003936604.tif 000002
【図２】
0003936604.tif 000003
【図３】
0003936604.tif 000004